(57)【特許請求の範囲】
【請求項１】
袋状の収容部の開口端部を、枠体に係止部が取り付けられた固定部に固定し、この固定部と支持部が一体である廃棄物収容容器であって、
前記固定部には、可動式の係止部が前記枠体の内壁と外壁との間隙に取り付けられ、固定ピンによって前記枠体に取り付けられるスライダと、前記袋状の収容部の短冊状端部に接触し、これを係止するストッパとが連結部を介して接続され、前記ストッパは端部の軸を中心として回動して方向を変えることができ、前記枠体の内壁と外壁との間に下から嵌合する前記ストッパによって、前記袋状の収容部の開口端部を固定することを特徴とする廃棄物収容容器。
【請求項２】
前記枠体の内壁と外壁との間及び前記ストッパには上方に厚みの少なくなるテーパがかけられていることを特徴とする請求項１に記載の廃棄物収容容器。
【請求項３】
前記ストッパの背面には段差が設けられていることを特徴とする請求項１又は請求項２に記載の廃棄物収容容器。
【請求項４】
前記収容部或いは固定部の少なくとも何れかが樹脂製であることを特徴とする請求項１乃至請求項３の何れか一項に記載の廃棄物収容容器。
【発明の詳細な説明】
【技術分野】
【０００１】
本発明は、主に廃棄物収容容器に関し、特に、樹脂等を用いた袋状の収容部を有する廃棄物収容容器に適用して有効な技術に関するものである。
【背景技術】
【０００２】
現在、一般家庭或いは事業所等で生じた廃棄物は、再利用によって資源を有効活用し、併せて処理する廃棄物の減量を図るために、その種類によって分別し、例えば焼却処分をする可燃物と焼却に適さず埋め立て等の処理を行なう不燃物とに分けて、種類によって定められた日に収集されている。
【０００３】
その収集では、廃棄物を樹脂製の袋に収容して指定された収集所に出されたものを、地方自治体の収集車が巡回して収集を行なっている。用いられる樹脂製の袋としては、ごみ袋と呼称されている地方自治体の推奨する樹脂製の収集袋が用いられており、他に、販売した商品を収納するために商店等が配付している、レジ袋と呼称されている樹脂製の袋が用いられる場合もある。
【０００４】
このため、家庭では一端ごみ箱等の容器に収容した廃棄物を、収集のための袋に移し変える必要がある。そこで、こうした移し変えの手間を省くために、容器に収集のための袋を取り付けることが考えられている。
【０００５】
例えば、下記特許文献１には合成樹脂フィルム製のごみ袋を保持する装置が記載されており、この装置を用いてごみ袋に直接ごみを入れることが提案されている。
【０００６】
【特許文献１】特開平１１−１２４２０２号公報
【発明の開示】
【発明が解決しようとする課題】
【０００７】
しかしながら、袋を容器に保持する場合に寸法が合致する場合は問題ないが、そのような場合は例外といってもよく、容器に対して袋が小さい場合には、収容したごみの重さで袋が容器の底に落下する、袋の端部が倒れこんで開口を保てない等の問題が生じ、その結果として、袋と容器との間にごみが溜まり衛生上の或いは美観上の問題となることがある。
【０００８】
こうした問題を回避するために、洗濯ばさみ等により袋の端部を止めることも考えられるが、袋或いは容器には、樹脂が用いられているので、摩擦係数が低いことから荷重が加わると徐々に落下してしまう。
【０００９】
本発明の課題は、これらの問題点を解決し、簡単な操作で、袋の端部を容器にしっかりと固定することが可能な技術を提供することにある。本発明の前記ならびにその他の課題と新規な特徴は、本明細書の記述及び添付図面によって明らかになるであろう。
【課題を解決するための手段】
【００１０】
本願において開示される発明のうち、代表的なものの概要を簡単に説明すれば、下記のとおりである。
袋状の収容部の開口端部を、枠体に係止部が取り付けられた固定部に固定し、この固定部を支持部が支える廃棄物収容容器であって、前記固定部では、枠体の内壁と外壁との間に嵌合するストッパによって、前記袋状の収容部の開口端部を固定する。
【発明の効果】
【００１１】
本願において開示される発明のうち代表的なものによって得られる効果を簡単に説明すれば、下記のとおりである。
（１）本発明によれば、ストッパに開口端部を挟んで押し込むだけの簡単な動作で、袋状の収容部を確実に固定することが可能になるという効果がある。
（２）本発明によれば、収容部を取り外す際も、ストッパを押し下げるだけの簡単な動作で、収容部の端部の係止状態を解除することが可能になるという効果がある。
【発明を実施するための最良の形態】
【００１２】
以下、本発明の実施の形態を説明する。なお、実施の形態を説明するための全図において、同一機能を有するものは同一符号を付け、その繰り返しの説明は省略する。
【００１３】
（実施の形態１）
図１は、本発明の一実施の形態である廃棄物収容容器を示す正面図である。
本実施の形態の収容容器は、廃棄物を収容する袋状の収容部１の開口端部を、枠体２に係止部３，４が取り付けられた固定部５に固定し、この固定部５を角筒状の支持部６が支えている。なお、図１中では説明のために、袋状の収容部１は、右半分のみを図示し、その露出部分には斜線を付した。
【００１４】
本実施の形態に用いられている収容部１は樹脂製のレジ袋であり、その開口端部には運搬時に取っ手とするための環状端部１ａと、互いに結び合わせて収容物の転落を防止するための短冊状端部１ｂが、夫々２箇所に対向させて設けられている。
【００１５】
こうした開口端部に対応して、固定部５の係止部３，４としては、環状端部１ａを引っ掛けて係止する固定式の係止部３と、短冊状端部１ｂを係止する可動式の係止部４が、夫々２箇所に対向させて設けてある。
【００１６】
固定部５の枠体２は、内壁２ａと外壁２ｂとを上辺２ｃで一体化した構造となっており、固定式の係止部３は、外壁２ｂから下方に向かって部分的に延在し、環状端部１ａを引っ掛ける構成となっている。
【００１７】
支持部６は枠体２の内壁２ａと一体に樹脂成形されており、底面が閉じた筒状になっているので、膜厚の薄い収容部１の破れ等により廃棄物が外部にこぼれ出るのを防止し、加えて収容部１が露出するのを回避して美観を向上させる機能もある。
【００１８】
図２乃至図７は、可動式の係止部４を拡大して示す図であり、係止を解いた状態の正面図を図２に、断面図を図３に夫々示し、係止前の状態の正面図を図４に、断面図を図５に夫々示し、係止した状態の正面図を６図に、断面図を図７に夫々示してある。
【００１９】
可動式の係止部４は、内壁２ａと外壁２ｂとの間の間隙に取り付けられており、固定ピン７によって枠体２に取り付けられるスライダ８と、短冊状端部１ｂに接触しこれを係止するストッパ９とが連結部１０を介して接続されている。また、正面図ではスライダ８を明示するために、外壁２ｂは、その部分を適宜に切り欠いて示してある。
【００２０】
スライダ８には長円形の溝が設けられ、この溝に固定ピン７の軸が嵌合しており、スライダ８は固定ピン７の軸に対しての回動と、固定ピン７の軸に対しての摺動が可能であり、内壁２ａ及び外壁２ｂに沿って方向及び位置を変えることができる。
【００２１】
スライダ８の端部に設けた軸８ａには、連結部１０の一端に設けた孔が嵌合しており、連結部１０の他端に設けた孔にはストッパ９の下よりの端部から側方に設けた軸９ａが嵌合しており、ストッパ９端部の軸９ａとスライダ８端部の軸８ａは直交しており、ストッパ９は端部の軸９ａを中心として回動して方向を変え、内壁２ａ及び外壁２ｂに沿った形態と内壁２ａ及び外壁２ｂに垂直な形態とをとることができる。
【００２２】
図２及び図３に示す係止を解いた状態では、スライダ８の溝のストッパ９から離れた位置に固定ピン７の軸があり、いわばスライダ８が伸びた状態となりストッパ９は内壁２ａと外壁２ｂとの間の間隙から外された状態で、内壁２ａの下端とストッパ９の上端とが離れた状態となっている。
【００２３】
図４及び図５に示す係止前の状態では、ストッパ９を軸９ａに対して回動させて、ストッパ９の上端が手前に開く形態として、レジ袋１の短冊状端部１ｂをストッパ９と内壁２ａとの間に挟み込むのを容易にする。
【００２４】
この状態で、支持部６の内側に収容部１を入れて内壁２ａに沿って収容部１を開口させ、収容部１の開口端部を枠体２の外壁２ｂ外面に折り重ね、収容部１の短冊状端部１ｂをストッパ９と内壁２ａとの間に挟み込んだ後に、ストッパ９を図２及び図３に示した位置に戻す。この状態から、ストッパ９を押し上げて図６及び図７に示す短冊状端部１ｂをストッパ９によって係止した状態とする。
【００２５】
係止した状態ではスライダ８の溝のストッパ９に近い位置に固定ピン７の軸があり、いわばスライダ８が縮んだ状態となる。固定ピン７の間隔は、係止部４の寸法即ちストッパ９及び連結部１０の幅とスライダ８の溝の形状を基にして、力のかからない状態で必要となる幅よりも、少し狭めてある。
【００２６】
このため、固定ピン７に拘束されることで、係止の状態では係止部４の弾性によって係止部４に幅を縮小する方向の弾性応力が生じることになる。図６に示すように、この状態ではスライダ８はストッパ９側を上に向かせているため、前記弾性応力によって係止部４には上向きの力が与えられることによる。
【００２７】
図８に、係止状態の固定部５と袋状の収容部１との関係を示す部分拡大縦断面図を示す。この図では、説明のために収容部１の膜厚を誇張して示してある。
【００２８】
ストッパ９にはテーパがついており、このストッパ９の形状に合わせて枠体２の内壁２ａ及び外壁２ｂの形状が決められている。このため、枠体２の内壁２ａと外壁２ｂとの間にストッパ９が楔状に嵌合し、前述した上向きの力が働くことによって、ストッパ９は、図１０中の左右方向に働く弾性力によって、内壁２ａ及び外壁２ｂに圧接されることになる。
【００２９】
このため、ストッパ９と内壁２ａ或いは外壁２ｂに挟まれた短冊状部分１ｂはストッパ９と内壁２ａあるいは外壁２ｂとによって押さえつけられることになり、収容物の重さによって短冊状部分１ｂに力が加えられても、ずれることがない。また、ストッパ９は中空とすることで図８中の左右方向に働く弾性力を増加させてある。
【００３０】
さらに、ストッパ９の背面には部分的に突起となる段差９ｂが設けてあり、この段差９ｂが短冊状部分１ｂに食い込むためにこの部分の摩擦力が最大となっている。このため、収容物の重さによって短冊状端部１ｂに力が加えられて、短冊状端部１ｂとストッパ９の背面に接する部分とがずれかけた場合には、この部分に上向きの力が加わることになる。
【００３１】
この力は他の部分よりも摩擦力が強いストッパ９の背面に上向きの力を与えることになる。ストッパ９に作用した上向きの力によって、ストッパ９と枠体２との圧接力を増加させることになり、力の増加に対して圧接力を増加させることで、短冊状部分１ｂの移動を防止することができる。
【００３２】
このため、ストッパ９に短冊状端部１ｂを挟んで押し込むだけの簡単な動作で、収容部１の端部を確実に固定することが可能になる。また、収容部１を取り外す際も、ストッパ９を押し下げるだけの簡単な動作で、収容部１の端部の係止状態を解除することが可能である。
【００３３】
本実施の形態が適用されるのは、前述した形態に限定されるものではなく、係止部４によって開口端部を固定するものであれば、種々の形態に適用が可能である。例えば、図９に示すのは、本実施の形態の変形例であり、この例では容器が円筒状となっており、環状端部１ａがないごみ袋の利用を考慮して、固定式の係止部３に変えて可動式の係止部を４箇所に設けてある。なお、係止部４の数についても、収容物の状態によってその数を増減させて、対応することが可能である。
【００３４】
また、支持部６としては、前述した枠体２と一体に樹脂成形されたもの以外に、金属材料或いは藤蔓等の植物材料を用いた籠状のものに、固定部５の枠体２を取り付けて用いることも可能である。
【００３５】
（実施の形態２）
従来、廃棄物の分別は、焼却処分をする可燃物と焼却に適さず埋め立て等の処理を行なう不燃物とに、分けられていたが、近年、再利用の観点から、材料の違いによって不燃物を例えば金属、ガラス、樹脂等にさらに区分して、可燃物から例えば紙類、布、樹脂等にさらに区分して、収集する場合があり、地方自治体によって対応は異なるが、分別の種類を増加させる傾向にある。
【００３６】
このような分別に合わせて、複数の容器を用意する場合には、場所の問題等が重要な解決課題となる。本実施の形態は、そのような場合に特に効果を発揮する。
【００３７】
図１０は、本発明の他の実施の形態である廃棄物収容容器を示す正面図である。
本実施の形態の収容容器は、廃棄物を収容する袋状の収容部１の開口端部を、枠体２に係止部３，４が取り付けられた固定部５に固定し、この固定部５を角筒状の支持部６が支えている。なお、図１０中では説明のために、袋状の収容部１の開口端部は、右半分のみを図示し、その露出部分には斜線を付した。
【００３８】
図１０に示す本実施の形態では、前述した実施の形態と比較して、収容部１及び固定部２はほぼ同様であるが、支持部の構成が相違しており、柱状の支持部が枠体の隅に取り付けてある。
【００３９】
本実施の形態に用いられている収容部１は樹脂製のレジ袋であり、その開口端部に対応して、固定部５の係止部３，４としては、環状端部１ａを引っ掛けて係止する固定式の係止部３と、短冊状端部１ｂを係止する可動式の係止部４が、夫々２箇所に対向させて設けてある。
【００４０】
可動式の係止部４については、前述した実施の形態のものと同様の構成となっており、収容部１の開口端部を枠体２の外壁２ｂ外面に折り重ね、収容部１の短冊状端部１ｂをストッパ９と内壁２ａとの間に挟み込んだ後に、ストッパ９を押し上げて短冊状端部１ｂをストッパ９によって係止した状態とする。
【００４１】
ストッパ９にはテーパがついており、このストッパ９の形状に合わせて枠体２の内壁２ａ及び外壁２ｂの形状が決められている。このため、枠体２の内壁２ａと外壁２ｂとの間にストッパ９が楔状に嵌合し、前述した上向きの力が働くことによって、ストッパ９は、弾性力によって内壁２ａ及び外壁２ｂに圧接されることになる。
【００４２】
さらに、ストッパ９の背面には段差９ｂが設けてあり、この段差９ｂが短冊状端部１ｂに食い込むためにこの部分の摩擦力が最大となっている。このため、収容物の重さによって短冊状端部１ｂに力が加えられて、短冊状端部１ｂとストッパ９の背面に接する部分とがずれかけた場合には、この部分に上向きの力が加わることになる。
【００４３】
この力は他の部分よりも摩擦力が強いストッパ９の背面に上向きの力を与えることになる。ストッパ９に作用した上向きの力によって、ストッパ９と枠体２との圧接力を増加させることになり、力の増加に対して圧接力を増加させることで、短冊状端部１ｂの移動を防止することができる。
【００４４】
このため、ストッパ９に短冊状端部１ｂを挟んで押し込むだけの簡単な動作で、収容部１の端部を確実に固定することが可能になる。また、収容部１を取り外す際も、ストッパ９を押し下げるだけの簡単な動作で、収容部１の端部の係止状態を解除することが可能である。
【００４５】
本実施の形態の特徴である柱状の支持部６は、上端が雄ネジとなっており固定部５の枠体２の４隅に形成された雌ネジと螺着して枠体２に上端が固定され、下端は床面に置かれたトレイ１１に設けた孔に差し込まれている。トレイ１１は、支持部６の下端を固定する以外に、収容物から水分が漏れ出す場合等に周囲が汚染されるのを防止する。
【００４６】
柱状の支持部６上端を固定部５に取り付ける方法としては、ピンを用いる接着する等適宜の方法が考えられるが、取り付け取り外しが容易な方法を採用することで、使用しない場合に支持部６を外すことで保管するのに場所を取らないという利便性がある。なお、逆に支持部６の下端を固定し、上端を差し込む構成とすることも可能である。
【００４７】
また、支持部６を柱状とすることで、既知の長さ調整機構を設ける或いは適宜の長さに切断することにより、その長さを調整して最適な状態とすることが容易に可能となる。
【００４８】
また本実施の形態のように支持部６が柱状とした場合には、支持部６の正面及び側面が開放されることになるので、図１１に示すように、積み重ねて使用する際に下段の容器への廃棄物の投入が容易となる利点がある。このため、積み重ねて使用する場合を考慮して、トレイ１１に設けた孔と同様の孔を枠体２の上面に設けてあり、上段の支持部６の下端を枠体２に設けた孔に差し込んで、支持部６の下端を固定する。
【００４９】
しかし、単に積み重ねるのであれば、底面積に対して高さが増加すると安定性に問題が生じる、更には最下段の容器に積み重ねた容器の全荷重が集中するため、強度上の問題が生じることが考えられる。このため、積み重ねる場合にはせいぜい３段程度が実用上の限界となる。
【００５０】
そこで、図１２に示す変形例では、壁面等に取り付けた２本の柱状の支持部６に固定部５を取り付けることで、前述した安定性と荷重の問題を解決している。
【００５１】
枠体２の背面に近い隅には孔が設けられており、この孔に柱状の支持部６を貫通させて、枠体２に螺合させたネジ１２を締め付けて、枠体２を支持部６に固定している。枠体２は支持部６に沿って移動が可能であり、適宜の高さで固定し最適な間隔で容器を配置することができる。
【００５２】
なお、支持部６に枠体２を取り付ける方法としては、ネジ１２による以外にもピンを用いる接着する等の他の方法が考えられる。また、２本の支持部６とする場合には、片持ち支持となるので、荷重の分布を考慮して、枠体２の高さを支持部６との取り付け部分に近づくに連れて高くし、強度を確保することが望ましい。
【００５３】
以上、本発明を、前記実施の形態に基づき具体的に説明したが、本発明は、前記実施の形態に限定されるものではなく、その要旨を逸脱しない範囲において種々変更可能であることは勿論である。
【００５４】
例えば、前述した実施の形態では、収容部１として樹脂製の袋を用いて説明したが、紙製或いは布製等の他の材料を用いた場合にも、同様に適用が可能である。また、廃棄物の収容以外にも、例えば洗濯物等の収容のような、他の用途に用いることも可能である。
【図面の簡単な説明】
【００５５】
【図１】本発明の一実施の形態である廃棄物収容容器を示す正面図である。
【図２】可動式の係止部の係止を解いた状態を示す部分正面図である。
【図３】可動式の係止部の係止を解いた状態を示す部分拡大縦断面図である。
【図４】可動式の係止部の係止前の状態を示す部分拡大正面図である。
【図５】可動式の係止部の係止前の状態を示す部分拡大縦断面図である。
【図６】可動式の係止部の係止した状態を示す部分拡大正面図である。
【図７】可動式の係止部の係止した状態を示す部分拡大縦断面図である。
【図８】係止状態の固定部と袋状の収容部との関係を示す部分拡大縦断面図である。
【図９】本発明の一実施の形態である廃棄物収容容器の変形例を示す斜視図である。
【図１０】本発明の他の実施の形態である廃棄物収容容器を示す正面図である。
【図１１】図１０に示す容器を積み重ねた状態を示す正面図である。
【図１２】本発明の他の実施の形態である廃棄物収容容器の変形例を示す側面図である。
【符号の説明】
【００５６】
１…収容部、１ａ…環状端部、１ｂ…短冊状端部、２…枠体、２ａ…内壁、２ｂ…外壁、２ｃ…上辺、３…固定式の係止部、４…可動式の係止部、５…固定部、６…支持部、７…固定ピン、８…スライダ、８ａ…軸、９…ストッパ、９ａ…軸、９ｂ…段差、１０…連結部、１１…トレイ、１２…ネジ。
【図１】
0004432085.tif 000002
【図２】
0004432085.tif 000003
【図３】
0004432085.tif 000004
【図４】
0004432085.tif 000005
【図５】
0004432085.tif 000006
【図６】
0004432085.tif 000007
【図７】
0004432085.tif 000008
【図８】
0004432085.tif 000009
【図９】
0004432085.tif 000010
【図１０】
0004432085.tif 000011
【図１１】
0004432085.tif 000012
【図１２】
0004432085.tif 000013